(57)【特許請求の範囲】
【請求項１】
平面形状が、四角形であって、側面形状が、対向する二辺の中間部に物干竿を嵌め込む下向きの窪みを形成した外枠部材と、
上記外枠部材の対向する二辺の窪みに物干竿が嵌め込まれた状態で、上記物干竿を掴んで上記外枠部材を物干竿に吊持させる上記外枠部材に設けた吊持部材と、
上記外枠部材に間隔をあけて吊り下げられ、指先で摘む摘部の上端が、上記外枠部材のパイプより鉛直方向で高くなるように吊り下げた複数のピンチと、
を具備することを特徴とする物干ハンガー。
【請求項２】
平面形状が円形、楕円形または小判形であって、側面形状が、点対称の位置に下向きの２つの窪みを形成した外枠部材と、
上記外枠部材の点対称の位置にある２つの窪みに物干竿が嵌め込まれた状態で、上記物干竿を掴んで上記外枠部材を物干竿に吊持させる上記外枠部材に設けた吊持部材と、
上記外枠部材に間隔をあけて吊り下げられ、指先で摘む摘部の上端が、上記外枠部材のパイプより鉛直方向で高くなるように吊り下げた複数のピンチと、
を具備することを特徴とする物干ハンガー。
【発明の詳細な説明】
【技術分野】
【０００１】
この発明は、洗濯したタオル、衣類等を乾かすために使用する物干ハンガーに関する。
【背景技術】
【０００２】
図１１に示すように、マンションのバルコニーには、床面から立ち上がる手摺壁７が設けられている。居住者が、バルコニーに洗濯物を干すとき、美観上の問題から、洗濯物が見えないように干すことが望まれており、手摺壁７より上に洗濯物を干すことはできない。
【０００３】
そこで、手摺壁７の内面の左右両端部に支持部材71を固定し、この支持部材71に物干竿９を掛け渡す腕部材72を水平面内で回動可能に取り付け、使用時には腕部材72を斜め上方に向けた状態で物干竿９を掛け渡し、不使用時には腕部材72を手摺壁７に接するように回動させて収納するマンション用の物干装置が、従来より使用されている。
【０００４】
また、下記特許文献１に記載されているように、洗濯物を吊り下げて干す物干ハンガー８が、従来より広く使用されている。
【０００５】
このような従来より広く使用されている物干ハンガー８は、図１０に示すように、金属パイプを曲げ加工した矩形の枠部材81に洗濯物を挟んで保持する多数のピンチ３を等間隔に吊り下げ、矩形の枠部材81の四隅に４本の吊下紐82の下端をそれぞれ結び付け、小さい円形の金属板83にあけた四つの小穴に各吊下紐82の上端をそれぞれ結び付ける。そして、物干竿９に引っ掛けるフック84の下端を円形の金属板83の中央にあけた孔に挿通して、回動自在に保持させたものである。
【先行技術文献】
【特許文献】
【０００６】
【特許文献１】登録実用新案第３０１３９２９号公報
【発明の概要】
【発明が解決しようとする課題】
【０００７】
マンション用の物干装置を使用して物干竿９を掛け渡すと、図１１に示すように、バルコニーの床面から物干竿９までの高さＨが、比較的低いにも係わらず、従来の物干ハンガー８においては、物干竿９に引っ掛けた状態において、フック84の上端からピンチ３の狭持部31までの高さＬが１５〜２５ｃｍ程度である。
【０００８】
そのために、バルコニーの床面からピンチ３の狭持部31までの高さ、即ち、洗濯物を吊り下げ得る有効な高さ（Ｈ−Ｌ）が低く制限される。
【０００９】
そこで、この発明の物干ハンガーは、物干竿９からピンチ３の狭持部31までの高さＬを短縮して、バルコニーの床面からピンチ３の狭持部31までの有効な高さ（Ｈ−Ｌ）を拡大するために考えられたものである。
【課題を解決するための手段】
【００１０】
この発明の物干ハンガーは、平面形状が、四角形であって、側面形状が、対向する二辺の中間部に物干竿を嵌め込む下向きの窪みを形成した外枠部材と、上記外枠部材の対向する二辺の窪みに物干竿が嵌め込まれた状態で、上記物干竿を掴んで上記外枠部材を物干竿に吊持させる上記外枠部材に設けた吊持部材と、上記外枠部材に間隔をあけて吊り下げられ、指先で摘む摘部の上端が、上記外枠部材のパイプより鉛直方向で高くなるように吊り下げた複数のピンチとにより構成される。
【発明の効果】
【００１１】
この発明の物干ハンガーによると、物干竿に吊持させる吊持部材と洗濯物を挟むピンチ３の狭持部31までの高さを低くできるので、ピンチ３の狭持部31から床面までの洗濯物を吊り下げる有効高さを大きくできる。バルコニーの手摺壁の内側に設けられた物干竿にこの発明の物干ハンガーを引っ掛けて使用すると、ピンチ３の摘部32が外枠部材１より高く突出しているので腰を屈めることなく、物干ハンガーの上から物干作業をすることができる。
【発明を実施するための形態】
【００１２】
（第１の実施形態）
この発明の物干ハンガーの第１の実施形態は、図１の斜視図および図２の平面図に示すように、金属パイプをコ字形またはＵ字形に曲げ加工した一対の枠半体11と、これら一対の枠半体11を結合して四角形の外枠部材１を形成する合成樹脂製の一対の継ぎ手部材２と、これら一対の継ぎ手部材２を利用して外枠部材１の中に平行に配置された４本の桟半体13と、これら４本の桟半体13の中央部において４本の桟部材13を結合して平行な２本の桟を形成するとともに、フック部材５を保持するフック保持部材４とにより構成される。
【００１３】
図３の平面図（ａ）および正面図（ｂ）に示すように、枠半体11は、複数のピンチ３を吊持するもであって、中央部には、曲げ加工により、物干竿９を上から嵌め込む窪み12が形成されている。
【００１４】
左右対称形の２つの継ぎ手部材２は、図４の平面図（ａ）および正面図（ｂ）に示すように、同じ構成のものを互いに反転して共用できるものであり、合成樹脂を成型したものであって、図４に示すように、枠半体11の端部を挿し込む半体受部21と、この半体受部21と直交する方向に突出して、桟半体13の後端部を挿し込む桟半体受部22とを有し、中央部は、物干竿９を嵌め込む窪み23が形成されている。
【００１５】
４本の各桟半体13は、図５の平面図（ａ）および正面図（ｂ）に示すように、金属パイプを曲げ加工によりクランク14を形成したものである。
【００１６】
フック保持部材４は、図６の平面図（ａ）および正面図（ｂ）に示すように、４本の桟半体13の先端部を挿し込む４つの桟半体受部42を有し、中央部にフック部材５を支持するための丸孔41があけた板状のものである。
【００１７】
吊り手部材５は、図７の平面図（ａ）、正面図（ｂ）および側面図（ｃ）に示すように、中央に長孔をあけ、全周囲に段部52を形成した円板51と、この円板51の長孔に嵌め込まれるフック部材５とにより構成される。
【００１８】
フック部材５は、下部に手で操作する操作部53を有し、上部に物干竿を掴む掴持部材54を有し、中間部に心棒を挿通する孔55をあけたフック半体を２つ用意し、これら２つのフック半体を組み合わせて孔55に心棒を挿通し、心棒の両端を円板51の長孔に接して設けた軸受56で支持させてものである。
【００１９】
次に、２本の枠半体11、４本の桟半体13、２つの継ぎ手部材２および１つのフック保持部材４とにより枠体を組み立てる手順を説明する。
【００２０】
フック保持部材４の各桟半体受部42に、予め必要な数のピンチ３を取り付けた4本の桟半体13の先端部をそれぞれ挿し込むことにより、２本の平行な桟を形成することができる。このとき、４本の桟半体13は、曲げ加工によりクランク14を形成しているので、４本の桟半体13の各クランク14の角度を調整することにより、フック保持部材４を外枠部材１よりも低い位置に設定することができる。
【００２１】
このようにして、フック保持部材４の各桟半体受部42に先端部を挿し込んだ４本の桟半体13の後端部を、２つの継ぎ手部材２の桟半体受部22にそれぞれ挿し込む。
【００２２】
そして、２つの継ぎ手部材２の各半体受部21に、予め必要な数のピンチ３を取り付けた２本の枠半体11の両先端部をそれぞれ挿し込むと、四角形の外枠部材１を形成することができる。
【００２３】
枠半体11および桟半体13にピンチ３を吊り下げるとき、指先で摘む摘部32の上端が、枠半体11または桟半体13のパイプより高くなるように吊り下げて、外枠部材１の上から操作できるように構成されている。
【００２４】
図７に示す予め組み立てたフック部材５の円板51を、フック保持部材４の丸孔41に、下から挿通すると、円板51の段部52が丸孔41と係合するので、上向きに抜けることはないのである。しかし、下向きに抜けるので、円板51の上面に係止部材（図示せず）を固定することにより、下向きに抜けることなく、フック保持部材４によりフック部材５を回動自在に保持することができる。
【００２５】
なお、以上で説明した組立手順は、これに限ることなく作業性を考慮して任意に変更し得るものである。
【００２６】
このように構成された物干ハンガーを物干竿９に取り付ける際には、フック部材５の操作部53を操作して掴持部54を開き、物干竿９を掴ませればよいのである。物干竿９を掴むとき、物干ハンガーと物干竿９との配置を考慮して、外枠部材１の対向する２つ窪み12または23に物干竿９を合わせる。吊り下げた洗濯物の方向を反転させたり、９０℃回転させたい場合には、フック部材５の操作部53を操作して掴持部54を開き、物干ハンガーを物干竿９より少し下げてから回動させて任意の方向に設定し、再度、フック部材５で物干竿９を掴めばよいのである。
【００２７】
（第２の実施形態）
この発明の物干ハンガーの第２の実施形態は、図８（ａ）の斜視図に示すように、平面形状が四角形を形成するように金属パイプを曲げ加工し、その両端部を金属または合成樹脂のパイプで結合してループを形成した外枠部材１と、この外枠部材１に間隔をあけて吊り下げられた複数のピンチ３と、吊持部材６とにより構成される。
【００２８】
外枠部材１の対向する二辺の中間部には、曲げ加工により下向きの窪み12が形成されており、この窪み12の両側にネジ孔があけられている。
【００２９】
吊持部材６は、金属パイプを曲げ加工して上向きに膨出させたもので、両端部に上下に貫通する孔があけられている。
【００３０】
複数のピンチ３は、図８の正面図（ｂ）に示すように、洗濯物を挟んで保持する狭持面33が、外枠部材１と直交するように吊り下げられている。このような姿勢でピンチ３を吊り下げておくと、対向する２つのピンチ３の間に１枚の洗濯物を挟んだとき、洗濯物によってピンチ３が捻れることはなく、無理のない姿勢で洗濯物を保持することができる。
【００３１】
このように構成された物干ハンガーを物干竿に吊す際には、２つの窪み12が物干竿９に嵌るように外枠部材１を位置決めし、物干竿９を閉じるように吊持部材６を載せて外枠部材１に蝶ネジ61で固定する。または、予め吊持部材６を外枠部材１に固定しておき、物干竿を吊持部材６と窪み12との間に通してもよいのである。
【００３２】
以上で説明したように、この発明の物干ハンガーは、物干竿に吊り下げたときに、物干ハンガーの重心が物干竿に接近しているので、不安定になるように見受けられるが、洗濯物を吊り下げると、図９に示すように、洗濯物を含む全体の重心が下がるので、安定した姿勢で洗濯物を干すことができる。
【図面の簡単な説明】
【００３３】
【図１】この発明の物干ハンガーの第１の実施形態を示す斜視図、
【図２】図１に示す物干ハンガーの平面図、
【図３】図１に示す物干ハンガーで使用する枠半体を示す図、
【図４】図１に示す物干ハンガーで使用する継ぎ手部材を示す図、
【図５】図１に示す物干ハンガーで使用する桟半体を示す図、
【図６】図１に示す物干ハンガーで使用するフック保持部材を示す図、
【図７】図１に示す物干ハンガーで使用するフック部材を示す図、
【図８】この発明の物干ハンガーの第２の実施形態を示す斜視図、
【図９】この発明の物干ハンガーを用いてバルコニーに洗濯物を干した状態を示す説明面、
【図１０】従来の物干ハンガーの一例を示す正面図、
【図１１】従来の物干ハンガーを用いてバルコニーに洗濯物を干した状態を示す説明面である。
【符号の説明】
【００３４】
１  外枠部材
２  継ぎ手部材
３  ピンチ
31  狭持部
32  摘部
４  フック保持部材
５  フック部材
６  吊持部材
９  物干竿
11  枠半体
12、23  窪み
13  桟半体
32、42  桟半体受部
【図１】
0005868737.tif 000002
【図２】
0005868737.tif 000003
【図３】
0005868737.tif 000004
【図４】
0005868737.tif 000005
【図５】
0005868737.tif 000006
【図６】
0005868737.tif 000007
【図７】
0005868737.tif 000008
【図８】
0005868737.tif 000009
【図９】
0005868737.tif 000010
【図１０】
0005868737.tif 000011
【図１１】
0005868737.tif 000012